(57)【要約】【課題】  酸洗液の排出量を低減することができる酸洗設備を提供する。【解決手段】  酸洗設備１は、鋼帯１０を酸洗槽３０内に通板し、鋼帯１０を酸洗槽３０内の酸洗液Ｗに浸漬させる。酸洗設備１は、液切りロール４３と、遮断板５０とを含んで構成される。液切りロール４３は、酸洗槽３０内において鋼帯１０の上面に回転可能に当接される。遮断板５０は、酸洗槽３０内における液切りロール４３の下部に配置される。遮断板５０は、鋼帯１０の下面側における酸洗液Ｗの流れを遮断する。【選択図】  図１
2014201751.tif 000002
【特許請求の範囲】
【請求項１】
鋼帯を酸洗槽内に通板し、前記鋼帯を前記酸洗槽内の酸洗液に浸漬する酸洗設備であって、
前記酸洗槽内において前記鋼帯の上面に回転可能に当接するロールと、
前記酸洗槽内における前記ロールの下部に配置され、前記鋼帯の下面側における前記酸洗液の流れを遮断する遮断手段と、
を備える酸洗設備。
【請求項２】
前記遮断手段は遮断板であり、
前記遮断板の上端と前記鋼帯との間の間隔は１０ｍｍ以下である、
請求項１に記載の酸洗設備。
【請求項３】
前記ロールは前記鋼帯の移動に伴って回転する、請求項１又は２に記載の酸洗設備。
【発明の詳細な説明】
【技術分野】
【０００１】
本発明は、酸洗槽内に鋼帯を通板し、鋼帯を酸洗液に浸漬する酸洗設備に関する。
【背景技術】
【０００２】
熱間圧延鋼帯の表面に形成される酸化スケール皮膜を除去する酸洗設備として、塩酸や硫酸によるディップ式酸洗設備が知られている。このようなディップ式酸洗設備では、酸洗槽の入側及び出側に一対のリンガーロールを設け、リンガーロール間で張力を付与した状態で鋼帯を酸洗槽内に水平方向に通板することで鋼帯を酸洗槽内の酸洗液に浸漬している。
【０００３】
また、酸洗液の削減或いは酸洗時間の短縮等を図るため、酸洗槽を浅くすると共に、酸洗液を噴射して攪拌させるノズルを備えた噴流式酸洗設備がある。このような、噴流式酸洗設備として、例えば特許文献１に記載されたものがある。
【０００４】
特許文献１に記載された噴流式酸洗設備では、酸洗槽の入側堰を超えて入側の酸洗液排出口に排出される酸洗液量と、酸洗槽の出側堰を超えて出側の酸洗液排出口に排出される酸洗液量との割合を一定にするため、入側堰及び出側堰の高さを可変にして、鋼帯の下面と入側堰の上端及び出側堰の上端との間の隙間を調節可能としている。
【先行技術文献】
【特許文献】
【０００５】
【特許文献１】特開２００７−２４６９９５号公報
【発明の概要】
【発明が解決しようとする課題】
【０００６】
鋼帯の生産性の向上を図るため、鋼帯の通板速度を早くする（例えば、４２０ｍｐｍ程度）ことが行われている。上述した鋼帯を酸洗槽に浸漬する酸洗設備の場合、鋼帯の移動に引き連れられて酸洗液が酸洗槽から排出されてしまうため、通板速度が速くなると排出される酸洗液の量が増加する。例えば特許文献１に記載された酸洗設備においては、出側堰と鋼帯との間の隙間をより一層狭くすることで排出される酸洗液の量を低減することが考えられるが、出口堰の上端が鋼帯の下面に接触して鋼帯に疵が生じる恐れがあり好ましくない。
【０００７】
そこで、本発明は、酸洗液の排出量を低減することができる酸洗設備を提供することを目的とする。
【課題を解決するための手段】
【０００８】
本発明の酸洗設備は、鋼帯を酸洗槽内に通板し、鋼帯を酸洗槽内の酸洗液に浸漬するものである。この酸洗設備は、ロールと、遮断手段とを備える。ロールは、酸洗槽内において鋼帯の上面に回転可能に当接する。遮断手段は、酸洗槽内においてロールの下部に配置され、鋼帯の下面側における酸洗液の流れを遮断する。
【０００９】
この酸洗設備によれば、鋼帯の上面側において鋼帯の移動に引き連れられて酸洗槽の入側から出側へ向かう酸洗液の流れがロールによって遮断される。また、鋼帯の下面側において鋼帯の移動に引き連れられて酸洗槽の入側から出側へ向かう酸洗液の流れが遮断手段によって遮断される。このように、鋼帯の上面側及び下面側の両側において、酸洗槽の出側へ向けて移動する酸洗液の流れを遮断することができるので、鋼帯の通板速度が速くなったとしても、酸洗液の排出量をより一層低減することができる。
【００１０】
遮断手段は遮断板であり、遮断板の上端と鋼帯との間の間隔は１０ｍｍ以下であることが好ましい。この場合には、鋼帯の下面側において鋼帯の移動に引き連れられて酸洗槽の入側から出側へ向かう酸洗液の流れを、遮断手段によって効果的に遮断することができる。これにより、より一層、酸洗液の排出量を低減することができる。
【００１１】
ロールは鋼帯の移動に伴って回転することが好ましい。この場合には、鋼帯の移動に伴ってロールが回転することで、鋼帯に疵をつけることが少ない。また、鋼帯の上面側において鋼帯の移動に引き連れられて移動する酸洗液の流れを遮断することができる。
【発明の効果】
【００１２】
本発明によれば、酸洗液の排出量を低減することができる。
【図面の簡単な説明】
【００１３】
【図１】実施形態に係る酸洗設備の概略構成を示す側面図である。
【図２】図１におけるＩＩ−ＩＩ線に沿った断面図である。
【図３】図１の鋼帯の上面側を流動する酸洗液を示す図であり、（ａ）は液切りロールの回転軸方向から見た図、（ｂ）は上方から見た図である。
【図４】図１の鋼帯の下面側を流動する酸洗液を示す図であり、（ａ）は液切りロールの回転軸方向から見た図、（ｂ）は上方から見た図、（ｃ）は（ｂ）におけるＩＶｃ−ＩＶｃ線に沿った断面図である。
【図５】遮断板を液切りロールよりも出側に設置した場合における鋼帯の上面側を流動する酸洗液を示す図であり、（ａ）は液切りロールの回転軸方向から見た図、（ｂ）は上方から見た図である。
【図６】遮断板を液切りロールよりも出側に設置した場合における鋼帯の下面側を流動する酸洗液を示す図であり、（ａ）は液切りロールの回転軸方向から見た図、（ｂ）は上方から見た図である。
【図７】遮断板を液切りロールよりも入側に設置した場合における鋼帯の上面側を流動する酸洗液を示す図であり、（ａ）は液切りロールの回転軸方向から見た図、（ｂ）は上方から見た図である。
【図８】遮断板を液切りロールよりも入側に設置した場合における鋼帯の下面側を流動する酸洗液を示す図であり、（ａ）は液切りロールの回転軸方向から見た図、（ｂ）は上方から見た図である。
【図９】遮断板を設置しない場合における鋼帯の上面側及び下面側を流動する酸洗液を示す図であり、（ａ）は液切りロールの回転軸方向から見た図、（ｂ）は上方から見た図である。
【図１０】酸洗槽から排出される酸洗液の流出量のピーク値の測定結果を通板速度毎に示す図である。
【図１１】遮断板の設置位置を変えた場合における、酸洗液の流出量のピーク値の測定結果を示す図である。
【図１２】鋼帯の下面と遮断板の上端との間隔を変えた場合における、酸洗液の流出量のピーク値の測定結果を示す図である。
【発明を実施するための形態】
【００１４】
以下、本発明の好適な実施形態について図面を参照しながら説明する。なお、図面の説明において同一の要素には同一の符号を付し、重複する説明を省略する。
【００１５】
図１及び図２に示すように、酸洗設備１は、鋼帯１０の表面の酸化スケール皮膜を除去する設備である。酸洗設備１は、入側リンガーロール２１、出側リンガーロール２２、酸洗槽３０、板押さえロール４１及び４２、液切りロール（ロール）４３、遮断板（遮断手段）５０、入側排出タンク６１、及び、出側排出タンク６２を含んで構成される。
【００１６】
酸洗槽３０は、上部が開口する容器である。酸洗槽３０内には、酸洗液Ｗが満たされる。酸洗槽３０内に満たされた酸洗液Ｗ内に、鋼帯１０が通板される。入側リンガーロール２１及び出側リンガーロール２２は、酸洗槽３０を挟んで対向する位置に設けられる。入側リンガーロール２１は、酸洗槽３０内に鋼帯１０が搬入される側（以下「入側」という）の端部に配置され、出側リンガーロール２２は、酸洗槽３０から鋼帯１０が搬出される側（以下「出側」という）の端部に配置される。入側リンガーロール２１は、一対のロール２１ａを備える。出側リンガーロール２２は、一対のロール２２ａを備える。
【００１７】
鋼帯１０は、酸洗槽３０の入側端部において、入側リンガーロール２１における一対のロール２１ａに挟まれ、酸洗槽３０の出側端部において、出側リンガーロール２２における一対のロール２２ａに挟まれる。鋼帯１０は、入側リンガーロール２１及び出側リンガーロール２２間で張力を付与された状態で、酸洗槽３０内の酸洗液Ｗに浸漬され、更に、入側から出側に向けて水平方向に通板される。
【００１８】
板押さえロール４１は、酸洗槽３０の入側端部近傍に設けられ、鋼帯１０を酸洗槽３０の底面側に向けて押し付けて鋼帯１０を酸洗液Ｗに浸漬させる。板押さえロール４２は、酸洗槽３０における入側と出側との間の中央部近傍に設けられ、鋼帯１０を酸洗槽３０の底面側に向けて押し付けて鋼帯１０を酸洗液Ｗに浸漬させる。板押さえロール４１及び４２を設けることで、鋼帯１０の通板時のばたつきが抑制され、安定した鋼帯１０の通板が可能となる。
【００１９】
液切りロール４３は、酸洗槽３０の出側端部近傍に設けられ、鋼帯１０の上面に回転可能に当接する。ここで、鋼帯１０が入側から出側に向けて移動すると、鋼帯１０に引き連れられて鋼帯１０の上面側及び下面側の酸洗液Ｗが、入側から出側に向けて流動する。液切りロール４３は、鋼帯１０の通板に伴って、鋼帯１０の上面側に生じる酸洗液Ｗの流動を遮断する。これにより、液切りロール４３によって流動が遮断された鋼帯１０の上面の酸洗液Ｗが酸洗槽３０内に戻される。このため、鋼帯１０を入側から出側に向けて通板させたときに、鋼帯１０の上面の酸洗液Ｗが酸洗槽３０外に持ち出されてしまうことを抑制できる。なお、液切りロール４３には駆動源が接続されておらず、鋼帯１０の通板に伴って回転可能となっている。
【００２０】
遮断板５０は、液切りロール４３の下部に配置される。遮断板５０の上端は鋼帯１０の下面に対向する。遮断板５０の上端と鋼帯１０の下面との間の間隔は、１０ｍｍ以下とし、且つ、鋼帯１０を通板させたときに遮断板５０の上端と鋼帯１０の下面とが接触しない間隔とする。遮断板５０は、入側から出側に向けた鋼帯１０の移動に伴って、鋼帯１０の下面側において入側から出側に向けて移動する酸洗液Ｗの流動を遮断する。遮断板５０は、図２に示すように、酸洗槽３０内において立設するように酸洗槽３０の底板３０ａ及び側板３０ｂに固定される。
【００２１】
ここで、遮断板５０が配置される液切りロール４３の下部とは、液切りロール４３の下方側の位置であって、上方から遮断板５０を見たときに、液切りロール４３によって遮断板５０が隠れる位置、即ち、液切りロール４３の外径（投影線）の範囲内とする。なお、図１及び図２では、液切りロール４３の回転軸の直下に遮断板５０を配置した状態を示している。
【００２２】
酸洗槽３０の入側端部近傍には、酸洗槽３０の入側において酸洗液Ｗを堰き止める入側堰３１が設けられる。酸洗槽３０の出側端部近傍には、酸洗槽３０の出側において酸洗液Ｗを堰き止める出側堰３２が設けられる。入側堰３１の上端及び出側堰３２の上端と、鋼帯１０の下面との間には、両者が当接しないように所定の隙間が設けられている。
【００２３】
酸洗槽３０の外側において入側端部近傍には、酸洗槽３０の入側堰３１を超えて酸洗槽３０外に排出される酸洗液Ｗを回収する入側排出タンク６１が設けられる。同様に、酸洗槽３０の外側において出側端部近傍には、酸洗槽３０の出側堰３２を超えて酸洗槽３０外に排出される酸洗液Ｗを回収する出側排出タンク６２が設けられる。入側排出タンク６１及び出側排出タンク６２によって回収された酸洗液Ｗは、ポンプによって酸洗槽３０内に戻される。
【００２４】
また、酸洗設備１は、噴流式酸洗設備である。このため、酸洗槽３０の側部には、鋼帯１０に向けて酸洗液Ｗを噴射して、酸洗液Ｗを攪拌させるためのノズルが設けられる。このノズルには、入側排出タンク６１及び出側排出タンク６２で回収された酸洗液Ｗ等が供給される。
【００２５】
次に、鋼帯１０の移動に伴って鋼帯１０の上面側及び下面側において入側から出側に向かって移動する酸洗液Ｗの流動を、液切りロール４３及び遮断板５０によって遮断する構成について説明する。まず、鋼帯１０の上面側を移動する酸洗液Ｗの流動を遮断する構成について説明する。なお、遮断板５０は、液切りロール４３の回転軸の直下に配置されているものとする。図３（ａ）及び図３（ｂ）に示すように、鋼帯１０の移動に伴って鋼帯１０の上面側において入側から出側に向かう酸洗液Ｗの流動が、液切りロール４３によって遮断される。なお、図中において、酸洗液Ｗの流動方向を矢印で示す。液切りロール４３によって流動が遮断された酸洗液Ｗの一部は、鋼帯１０の側方から鋼帯１０の下方に潜り込む。鋼帯１０の下方に潜り込んだ酸洗液Ｗは、遮断板５０によって出側への流動が遮断される。これにより、鋼帯１０の上面側の酸洗液Ｗが酸洗槽３０の出側の端部から持ち出されることを抑制できる。
【００２６】
次に、鋼帯１０の下面側を移動する酸洗液Ｗの流動を遮断する構成について説明する。図４（ａ）〜図４（ｃ）に示すように、鋼帯１０の移動に伴って鋼帯１０の下面側において入側から出側に向かう酸洗液Ｗの流動が、遮断板５０によって遮断される。遮断板５０によって流動が遮断された酸洗液Ｗの一部は、鋼帯１０の側方から鋼帯１０の上面側に向けて移動する（特に図４（ｃ）参照）。鋼帯１０の上側に移動した酸洗液Ｗは、液切りロール４３によって出側への流動が規制される。これにより、鋼帯１０の下面側の酸洗液Ｗが酸洗槽３０の出側の端部から持ち出されることを抑制できる。
【００２７】
このように、液切りロール４３の下部に遮断板５０を設けることで、鋼帯１０の移動に伴って鋼帯１０の上面側及び下面側において入側から出側に向かう酸洗液Ｗの流動を遮断することができる。これにより、酸洗液Ｗが、鋼帯１０の上面に乗って酸洗槽３０の出側の端部から持ち出されることを抑制できる。
【００２８】
ここで、比較のために、遮断板５０を液切りロール４３の下部よりも出側に設置した場合、即ち、上方から見たときに遮断板５０が液切りロール４３よりも出側に位置する場合の酸洗液Ｗの流動について説明する。まず、鋼帯１０の上面側を移動する酸洗液Ｗの流動について説明する。図５（ａ）及び図５（ｂ）に示すように、鋼帯１０の移動に伴って鋼帯１０の上面側において入側から出側に向かう酸洗液Ｗの流動が、液切りロール４３によって遮断される。液切りロール４３によって流動が遮断された酸洗液Ｗの一部は、鋼帯１０の側方から鋼帯１０の下方に潜り込む。鋼帯１０の下方に潜り込んだ酸洗液Ｗは、鋼帯１０の下面側を流動する酸洗液Ｗと共に液切りロール４３よりも出側に移動し、遮断板５０によって流動が遮断される。遮断板５０によって流動が遮断された酸洗液Ｗの一部は、鋼帯１０の側方から鋼帯１０の上面側に向けて移動する。鋼帯１０の上面側に移動した酸洗液Ｗは、鋼帯１０の移動に伴って、酸洗槽３０の出側の端部から酸洗槽３０外に持ち出される。
【００２９】
次に、鋼帯１０の下面側を移動する酸洗液Ｗの流動について説明する。図６（ａ）及び図６（ｂ）に示すように、鋼帯１０の移動に伴って鋼帯１０の下面側において入側から出側に向かう酸洗液Ｗの流動が、遮断板５０によって遮断される。遮断板５０によって流動が遮断された酸洗液Ｗの一部は、鋼帯１０の側方から鋼帯１０の上面側に向けて移動する。鋼帯１０の上側に移動した酸洗液Ｗは、鋼帯１０の移動に伴って、酸洗槽３０の出側の端部から酸洗槽３０外に持ち出される。
【００３０】
このように、遮断板５０が液切りロール４３の下部よりも出側に設置されている場合、鋼帯１０の上面に乗った酸洗液Ｗが鋼帯１０の移動に伴って酸洗槽３０の出側の端部から持ち出されてしまい、酸洗液Ｗの排出量を抑制することができない。
【００３１】
また、遮断板５０を液切りロール４３の下部よりも入側に設置した場合、即ち、上方から見たときに遮断板５０が液切りロール４３よりも入側に位置する場合の酸洗液Ｗの流動について説明する。まず、鋼帯１０の上面側を移動する酸洗液Ｗの流動について説明する。図７（ａ）及び図７（ｂ）に示すように、鋼帯１０の移動に伴って鋼帯１０の上面側において入側から出側に向かう酸洗液Ｗの流動が、液切りロール４３によって遮断される。液切りロール４３によって流動が遮断された酸洗液Ｗの一部は、鋼帯１０の側方から鋼帯１０の下方に潜り込む。鋼帯１０の下方に潜り込んだ酸洗液Ｗは、鋼帯１０の下面側を入側から出側に向けて流動すると共に、その一部が鋼帯１０の側方から鋼帯１０の上面側に向けて移動する。鋼帯１０の上面側に移動した酸洗液Ｗは、鋼帯１０の移動に伴って、酸洗槽３０の出側の端部から酸洗槽３０外に持ち出される。
【００３２】
次に、鋼帯１０の下面側を移動する酸洗液Ｗの流動について説明する。図８（ａ）及び図８（ｂ）に示すように、鋼帯１０の移動に伴って鋼帯１０の下面側において入側から出側に向かう酸洗液Ｗの流動が、遮断板５０によって遮断される。遮断板５０によって流動が遮断された酸洗液Ｗの一部は、鋼帯１０の側方から鋼帯１０の上面側に向けて移動する。鋼帯１０の上面側に移動した酸洗液Ｗは、鋼帯１０の上面側を流動する酸洗液Ｗと共に、入側から出側に向けて流動する。その後、図７（ａ）及び図７（ｂ）を用いて説明したのと同様に、遮断板５０によって遮断されたことによって鋼帯１０の下面側から上面側に移動した酸洗液Ｗは、液切りロール４３によって流動が遮断されることで一部が鋼帯１０の下方に潜り込む。更に、鋼帯１０の下方に潜り込んだ酸洗液Ｗは、鋼帯１０の下面側を入側から出側に向けて流動すると共に、その一部が鋼帯１０の側方から鋼帯１０の上面側に向けて移動する。鋼帯１０の上面側に移動した酸洗液Ｗは、鋼帯１０の移動に伴って、酸洗槽３０の出側の端部から酸洗槽３０外に持ち出される。
【００３３】
このように、遮断板５０が、液切りロール４３の下部よりも入側に設置されている場合、鋼帯１０の上面に乗った酸洗液Ｗが鋼帯１０の移動に伴って酸洗槽３０の出側の端部から持ち出されてしまい、酸洗液Ｗの排出量を抑制することができない。
【００３４】
また、遮断板５０を設置しない場合の酸洗液Ｗの流動について説明する。まず、鋼帯１０の上面側を移動する酸洗液Ｗの流動について説明する。図９（ａ）及び図９（ｂ）に示すように、鋼帯１０の移動に伴って鋼帯１０の上面側において入側から出側に向かう酸洗液Ｗの流動が、液切りロール４３によって遮断される。液切りロール４３によって流動が遮断された酸洗液Ｗの一部は、鋼帯１０の側方から鋼帯１０の下方に潜り込む。鋼帯１０の下方に潜り込んだ酸洗液Ｗは、鋼帯１０の下面側を流動する酸洗液Ｗと共に、入側から出側に向けて液切りロール４３の下方位置を通過するように流動する。液切りロール４３の下方位置を通過した酸洗液Ｗの一部は、鋼帯１０の側方から鋼帯１０の上面側に移動する。鋼帯１０の上面側に移動した酸洗液Ｗは、鋼帯１０の移動に伴って、酸洗槽３０の出側の端部から酸洗槽３０外に持ち出される。
【００３５】
次に、鋼帯１０の下面側を移動する酸洗液Ｗの流動について説明する。図９（ａ）及び図９（ｂ）に示すように、鋼帯１０の移動に伴って鋼帯１０の下面側において酸洗液Ｗが入側から出側に向かって流動する。鋼帯１０の下面側を流動する酸洗液Ｗのうち、液切りロール４３よりも入側の位置において鋼帯１０の上面側に移動した酸洗液Ｗの流動は、上述したように液切りロール４３によって遮断される。鋼帯１０の下面側を流動する酸洗液Ｗのうち、液切りロール４３よりも出側の位置において鋼帯１０の上面側に移動した酸洗液Ｗは、鋼帯１０の移動に伴って、酸洗槽３０の出側の端部から酸洗槽３０外に持ち出される。更に、液切りロール４３よりも出側の位置において鋼帯１０の下面側を流動する酸洗液Ｗは、鋼帯１０の移動に伴って、鋼帯１０の下面において酸洗槽３０の出側の端部から酸洗槽３０外に持ち出される。
【００３６】
このように、遮断板５０設置されていない場合には、鋼帯１０の移動に伴って鋼帯１０の上面側及び下面側の酸洗液Ｗが酸洗槽３０外に持ち出されてしまい、酸洗液Ｗの排出量を抑制することができない。
【００３７】
以下、上述した遮断板５０を液切りロール４３の直下に設置した場合において、酸洗槽３０の出側の端部から酸洗槽３０外へ持ち出されて出側排出タンク６２へ排出される酸洗液Ｗの流出量のピーク値の測定結果を図１０を用いて説明する。ここでは、液切りロール４３の直下に遮断板５０を設置し、鋼帯１０を２８０ｍｐｍ、３５０ｍｐｍ、及び４２０ｍｐｍで酸洗槽３０内を通板させた場合（遮断板  有）におけるそれぞれの酸洗液Ｗの流出量のピーク値の測定を行った。また、比較のため、遮断板５０を設けずに、鋼帯１０を２８０ｍｐｍ、３５０ｍｐｍ、及び４２０ｍｐｍで酸洗槽３０内を通板させた場合（遮断板  無）におけるそれぞれの酸洗液Ｗの流出量のピーク値の測定を行った。なお、図１０では、遮断板５０が設置されておらず、且つ、鋼帯１０の通板速度が２８０ｍｐｍの場合における酸洗液Ｗの流出量のピーク値を基準（１００％）として、それぞれの場合における酸洗液Ｗの流出量のピーク値の比率（最大流出率）を示している。
【００３８】
測定の結果、図１０に示すように、鋼帯１０の通板速度が２８０ｍｐｍの場合、遮断板５０を設置することで、遮断板５０を設置しない場合に比べて出側排出タンク６２へ流出する酸洗液Ｗの最大流出率が２．３％低減された。鋼帯１０の通板速度が３５０ｍｐｍの場合、遮断板５０を設置することで、遮断板５０を設置しない場合に比べて出側排出タンク６２へ流出する酸洗液Ｗの最大流出率が１０．５％低減された。鋼帯１０の通板速度が４２０ｍｐｍの場合、遮断板５０を設置することで、遮断板５０を設置しない場合に比べて出側排出タンク６２へ流出する酸洗液Ｗの最大流出率が８．５％低減された。
【００３９】
このように、遮断板５０を設置することで、遮断板５０を設置しない場合に比べて、出側排出タンク６２へ流出する酸洗液Ｗの流出量が低減された。また、鋼帯１０の通板速度が３５０ｍｐｍ以上の高速域において、遮断板５０を設置したことによる酸洗液Ｗの流出量の低減効果が大きくなった。
【００４０】
次に、遮断板５０の設置位置を変えた場合において、酸洗槽３０の出側の端部から酸洗槽３０外へ持ち出されて出側排出タンク６２へ排出される酸洗液Ｗの流出量のピーク値の測定結果を図１１を用いて説明する。ここでは、直径が３１８ｍｍである液切りロール４３を用い、鋼帯１０の通板速度を４２０ｍｐｍとして測定を行った。また、液切りロール４３の回転軸の直下に遮断板５０を設置した場合（液切りロール４３中心からの距離０ｍｍ）、液切りロール４３の回転軸の直下から出側に１８５ｍｍの位置に遮断板５０を設置した場合（液切りロール４３中心からの距離１８５ｍｍ）、液切りロール４３の回転軸の直下から出側に３９５ｍｍの位置に遮断板５０を設置した場合（液切りロール４３中心からの距離３９５ｍｍ）、液切りロール４３の回転軸の直下から入側に１８５ｍｍの位置に遮断板５０を設置した場合（液切りロール４３中心からの距離−１８５ｍｍ）、液切りロール４３の回転軸の直下から入側に３９５ｍｍの位置に遮断板５０を設置した場合（液切りロール４３中心からの距離−３９５ｍｍ）における酸洗液Ｗの流出量のピーク値を測定した。なお、図１１では、遮断板５０が設置されておらず、且つ、鋼帯１０の通板速度が２８０ｍｐｍの場合における酸洗液Ｗの流出量のピーク値を基準（１００％）として、それぞれの場合における酸洗液Ｗの流出量のピーク値の比率（最大流出率）を示している。
【００４１】
測定の結果、図１１に示すように、液切りロール４３の下部（上方から遮断板５０を見たときに、液切りロール４３によって遮断板５０が隠れる位置）に遮断板５０が設置されている場合に、遮断板５０を設置しない場合に比べて出側排出タンク６２へ流出する酸洗液Ｗの最大流出率を効果的に低減することができた。特に、遮断板５０を液切りロール４３の回転軸の直下に設置した場合に、遮断板５０を設置しない場合に比べて出側排出タンク６２へ流出する酸洗液Ｗの最大流出率が最も低減された。
【００４２】
次に、鋼帯１０の下面と遮断板５０の上端との間隔を変えた場合において、酸洗槽３０の出側の端部から酸洗槽３０外へ持ち出されて出側排出タンク６２へ排出される酸洗液Ｗの流出量のピーク値の測定結果を図１２を用いて説明する。ここでは、鋼帯１０の通板速度を４２０ｍｐｍとして測定を行った。また、鋼帯１０の下面と遮断板５０との隙間を０ｍｍとした場合、隙間を５ｍｍとした場合、隙間を１０ｍｍとした場合、隙間を２０ｍｍとした場合における酸洗液Ｗの流出量のピーク値を測定した。なお、図１２では、遮断板５０が設置されておらず、且つ、鋼帯１０の通板速度が２８０ｍｐｍの場合における酸洗液Ｗの流出量のピーク値を基準（１００％）として、それぞれの場合における酸洗液Ｗの流出量のピーク値の比率（最大流出率）を示している。
【００４３】
測定の結果、図１２に示すように、鋼帯１０の下面と遮断板５０との隙間が１０ｍｍ以下の場合に、遮断板５０を設置しない場合に比べて出側排出タンク６２へ流出する酸洗液Ｗの最大流出率が低減された。
【００４４】
本実施形態は以上のように構成され、液切りロール４３の下部に遮断板５０を配置する。これにより、鋼帯１０の上面側において鋼帯１０の移動に引き連れられて酸洗槽３０の入側から出側へ向かう酸洗液Ｗの流れは液切りロール４３によって遮断される。また、鋼帯１０の下面側において鋼帯１０の移動に引き連れられて酸洗槽３０の入側から出側へ向かう酸洗液Ｗの流れは遮断板５０によって遮断される。このように、鋼帯１０の上面側及び下面側の両側において、酸洗槽３０の出側へ向けて移動する酸洗液Ｗの流れを遮断することができるので、例えば、鋼帯１０の通板速度を３５０ｍｐｍ以上とする等、鋼帯１０の通板速度が速くなったとしても、酸洗液Ｗの排出量をより一層低減することができる。
【００４５】
鋼帯１０の下面側の酸洗液Ｗの流動を遮断する遮断手段として遮断板５０を用いる。また、遮断板５０の上端と鋼帯１０の下面との間の間隔は、１０ｍｍ以下とする。この場合には、鋼帯１０の下面側において鋼帯１０の移動に引き連れられて酸洗槽３０の入側から出側へ向かう酸洗液Ｗの流れを、遮断板５０によって効果的に遮断することができる。これにより、より一層、酸洗液Ｗの排出量を低減することができる。
【００４６】
鋼帯１０の移動に伴って液切りロール４３が回転することで、鋼帯１０に疵をつけることが少ない。また、鋼帯１０の上面側において鋼帯１０の移動に引き連れられて移動する酸洗液Ｗの流れを遮断することができる。
【００４７】
以上、本発明の一実施形態について説明したが、本発明は、上記実施形態に限定されるものではない。例えば、酸洗設備１として、噴流式酸洗設備を用いるものとしたが、噴流式に限定されず、これ以外の酸洗設備であってもよい。
【００４８】
遮断板５０は、底板３０ａ及び側板３０ｂに固定されるものとしたが（図２参照）、底板３０ａ及び側板３０ｂのいずれか一方に固定されていてもよい。また、酸洗液Ｗの流動を所定値以上遮断することができるものであれば、底板３０ａ及び側板３０ｂの少なくともいずれか一方と、遮断板５０との間に隙間が設けられていてもよく、遮断板５０に孔が設けられていてもよい。また、遮断板５０は、板状に限らずブロック状であってもよい。更に、遮断板５０を、複数枚設けてもよい。
【００４９】
入側堰３１及び出側堰３２は、高さ調節が可能な堰であってもよい。また、酸洗設備１に板押さえロール４１及び板押さえロール４２を設けるものとしたが、これらを設けなくてもよい。
【符号の説明】
【００５０】
１…酸洗設備、１０…鋼帯、３０…酸洗槽、４３…液切りロール（ロール）、５０…遮断板（遮断手段）、Ｗ…酸洗液。
【図１】
2014201751.tif 000003
【図２】
2014201751.tif 000004
【図３】
2014201751.tif 000005
【図４】
2014201751.tif 000006
【図５】
2014201751.tif 000007
【図６】
2014201751.tif 000008
【図７】
2014201751.tif 000009
【図８】
2014201751.tif 000010
【図９】
2014201751.tif 000011
【図１０】
2014201751.tif 000012
【図１１】
2014201751.tif 000013
【図１２】
2014201751.tif 000014